(57)【要約】【課題】前枠扉の開放時に、遊技者に払い出された遊技球が、前枠扉の球払出口の後側から零れ落ちてしまうことを防止する遊技機を提供する。【解決手段】前枠扉６を貫通して後方へ突成した球導出受部５０は、遊技球の貯留領域５３を規定する壁部を少なくとも含む球受基体５１に、該貯留領域５３を規定する底部を含む貯留領域変換部材５２を、球受け位置と貯留領域５３を拡張する拡張位置とに変換可能とするように配設したものであり、前枠扉６の開放に伴って、貯留領域変換部材５２が、球送出口３４の口縁に形成された変換案内部５９により、球受け位置から拡張位置へ変換するようにした。これにより、球導出受部５０の貯留領域５３上に遊技球がいっぱい溜まっている場合に、前枠扉６を開放しても、該貯留領域５３が拡張することから、該遊技球を充分な余裕を持って保持でき、遊技球が零れ落ちてしまうことを防ぎ得る。【選択図】図４
2008000452.tif 000002
【特許請求の範囲】
【請求項１】
遊技球を払い出す払出装置と、
該払出装置により払い出された遊技球を前方へ流出する球送出口を備えた本体枠と、
球貯留皿が前面に配設され、前記本体枠の前面側に片開き可能に枢支された前枠扉と、
前記球貯留皿から前記前枠扉を貫通して後方へ突成され、該前枠扉の閉鎖状態で前記球送出口に嵌入して、前記払出装置により払い出された遊技球を受けて前記球貯留皿へ導出する球導出受部と
を備えた遊技機において、
前記球導出受部が、
前記前枠扉の後面から突出するように形成され、遊技球の貯留領域を規定する壁部および底部のうち、少なくとも壁部を含む球受基体と、
前記貯留領域を規定する壁部および底部のうち、少なくとも底部を含み、前記球受基体と協同して前記貯留領域を規定すると共に、前記球受基体に、該貯留領域を拡張する方向へ変位可能に配設され、前記球送出口に嵌入して遊技球を受ける球受け位置と、該球受け位置から前記貯留領域を拡張する方向へ変位した拡張位置とに変換される貯留領域変換部材と
から構成されてなり、
前記球送出口の口縁に形成され、前記前枠扉の開放に伴って、前記貯留領域変換部材を球受け位置から拡張位置へ案内する変換案内部を備えていることを特徴とする遊技機。
【請求項２】
前記変換案内部を、前記球送出口の下縁から上方突成した案内突片により構成し、
前記球受基体の底面に、前記前枠扉の閉鎖状態で、前記案内突片が臨む進入開口を形成し、
前記貯留領域変換部材を、その前縁が前記球受基体の底面に上下方向へ回動可能に支持されて、前記貯留領域の底部を成す可動底板により構成し、前記前枠扉の開放状態で、略水平となる拡張位置に保持され、該前枠扉の閉鎖状態で、前記球受基体の進入開口から進入した前記案内突片と当接して上方変位した球受け位置に保持されるものとした請求項１に記載の遊技機。
【請求項３】
前記変換案内部を、前記球送出口の下縁から前方突成した案内突片により構成し、
前記貯留領域変換部材を、その後縁が前記球受基体の底面に上下方向へ回動可能に支持されて、前記貯留領域の底部を成す可動底板により構成し、前記前枠扉の閉鎖状態で、前記案内突片と当接して所定の球受け位置に保持されるものとすると共に、
前記可動底板の下方に設けられ、前記前枠扉の開放状態で、前記貯留領域変換部材を球受け位置から下方変位した拡張位置で保持する傾動制限手段を備えている請求項１に記載の遊技機。
【発明の詳細な説明】
【技術分野】
【０００１】
本発明は、遊技球を遊技媒体とし、該遊技球を前枠扉に配設された球貯留皿に払い出す遊技機に関する。
【背景技術】
【０００２】
遊技球を遊技媒体とする遊技機にあっては、遊技中に所定条件が成立した場合に、所定個数の遊技球を、前枠扉に配設された球貯留皿に払い出すようにしたものが一般的である。このような遊技機には、所定個数の遊技球を払い出す作動を実行する払出装置が本体枠に設けられており、この本体枠に、払出装置により払い出された遊技球を前方へ流出する球送出口が設けられている。そして、本体枠に片開き可能に枢支された前枠扉には、その閉鎖状態で前記球送出口と連通して遊技球を球貯留皿へ流出する球払出口が設けられている。
【０００３】
このような遊技機は、前枠扉が開放されると、本体枠の球送出口と前枠扉の球払出口とが離間する。このため、遊技中に球詰まりが発生した場合に、球送出口よりも上流側まで遊技球が溜まっていると、前枠扉を開放した時に、遊技球が球送出口から零れ落ちてしまう。これを防止するために、例えば、球送出口の直上流位置に、遊技球を下方へ誘導する排出路が連通すると共に、前枠扉の閉鎖状態で球送出口に嵌入する、上方開口した球導出受部が設けられた構成が知られている。ここで、球導出受部は、前枠扉の球払出口から後方へ突出するように形成されている。この構成は、前枠扉の閉鎖状態で、球導出受部が球送出口へ嵌入して排出路を閉鎖し、払出装置から払い出された遊技球を受けて、該遊技球を球払出口を介して球貯留皿へ導出する。前枠扉が開放されると、球導出受部が球送出口から退出するため、排出路を上端開口が開放されて、遊技球が排出路を流下する。これにより、前枠扉の開放した時に、球送出口より上流側に遊技球が溜まっていても、該遊技球が球送出口から零れ落ちることを防止している。尚、遊技機には、その下部に余剰の遊技球を貯留する余剰球貯留皿が配設された構成が一般的であり、前記排出路は、この余剰球貯留皿に連通するように設けられている。
【０００４】
また、上記した構成にあって、球送出口に、前枠扉の閉鎖状態で開放し、前枠扉の開放に伴って閉鎖する開閉扉を備えた構成もある。この開閉扉としては、球送出口の下縁に前後方向へ回動可能に軸支され、起立して球送出口を閉鎖する位置に付勢されて設けられている。かかる構成にあって、前枠扉の閉鎖する時には、球導出受部が開閉扉を後方へ押し付けて球送出口に嵌入し、前枠扉を開放する時には、球導出受部が球送出口から退出することにより、開閉扉が付勢力に従って起立位置となって球送出口を閉鎖する。すなわち、前枠扉を開放した時には、球送出口が自動的に閉鎖されるため、該球送出口の上流に貯留する遊技球が球送出口から零れ落ちることを防止できるのである。
【０００５】
さらにまた、別構成として、球送出口の下方に、前枠扉の開放に伴って前方へ回動する受皿部材が軸支されており、前枠扉を開放した時に、球送出口から零れた遊技球を受皿部材により受け止めるようにした構成が提案されている（例えば、特許文献１）。ここで、受皿部材に受け止められた遊技球は、余剰球貯留皿へ連通する排出路へ流下するようになっている。すなわち、球送出口よりも上流側まで遊技球が溜まっている状態で、前枠扉を開放した場合に、球送出口から零れた遊技球を受皿部材により受け止めて、排出路を介して余剰球貯留皿へ流出する。
【特許文献１】特開２００４−２７５２０７号公報
【発明の開示】
【発明が解決しようとする課題】
【０００６】
ところで、上述したように球送出口の直上流位置に遊技球を排出する排出路を設けた構成や、球送出口に開閉扉を設けた構成にあっては、球送出口よりも上流側にまで溜まった遊技球が球送出口から零れ落ちることを防止したものである。しかし、前枠扉側に配設された球導出受部については充分に考慮されていない。仮に、球導出受部が、遊技球を貯留可能な領域を有しているものであっても、この貯留領域いっぱいに遊技球が溜まっている場合に、前枠扉を勢いよく開放すると、その振動によって、遊技球が零れ落ちてしまうことが懸念される。
【０００７】
また、上述した従来の、球送出口の下方に零れた遊技球を受ける受皿部材が設けられた構成にあっても、前枠扉を勢いよく開放した場合には、球払出口の裏側から零れた遊技球を確実に受け止めることができない。
【０００８】
上述したように、球詰まりなどによって前枠扉を開放した時に、払出装置から払い出された遊技球が零れ落ちてしまうと、該遊技球が遊技者の持ち球であることから、遊技者との間でトラブルが生じたり、遊技者に不快感を与えることとなる。このため、例え球送出口よりも上流側まで遊技球が溜まっている状態であっても、前枠扉の開放時に、その遊技球が零れ落ちることを確実に防止できる構成が求められている。
【０００９】
本発明は、前枠扉の開放時に、払出装置から払い出された遊技球が零れ落ちることを防ぎ得る遊技機を提案するものである。
【課題を解決するための手段】
【００１０】
本発明は、遊技球を払い出す払出装置と、該払出装置により払い出された遊技球を前方へ流出する球送出口を備えた本体枠と、球貯留皿が前面に配設され、前記本体枠の前面側に片開き可能に枢支された前枠扉と、前記球貯留皿から前記前枠扉を貫通して後方へ突成され、該前枠扉の閉鎖状態で前記球送出口に嵌入して、前記払出装置により払い出された遊技球を受けて前記球貯留皿へ導出する球導出受部とを備えた遊技機において、前記球導出受部が、前記前枠扉の後面から突出するように形成され、遊技球の貯留領域を規定する壁部および底部のうち、少なくとも壁部を含む球受基体と、前記貯留領域を規定する壁部および底部のうち、少なくとも底部を含み、前記球受基体と協同して前記貯留領域を規定すると共に、前記球受基体に、該貯留領域を拡張する方向へ変位可能に配設され、前記球送出口に嵌入して遊技球を受ける球受け位置と、該球受け位置から前記貯留領域を拡張する方向へ変位した拡張位置とに変換される貯留領域変換部材とから構成されてなり、前記球送出口の口縁に形成され、前記前枠扉の開放に伴って、前記貯留領域変換部材を球受け位置から拡張位置へ案内する変換案内部を備えていることを特徴とする遊技機である。
【００１１】
ここで、前枠扉の前面、後面とは、前枠扉が本体枠に閉鎖された状態における前面、後面とを指す。前後方向についても同様である。
【００１２】
かかる構成は、前枠扉の閉鎖状態で球送出口に嵌入する球導出受部を備えた構成にあって、該球導出受部の、遊技球を貯留しておくことのできる貯留領域を、前枠扉の開放に伴って貯留領域変換部材が球受け位置から拡張位置へ変位することによって、前枠扉の閉鎖状態に比して、前枠扉の開放状態で拡張（増大）するようにしたものである。これにより、前枠扉の閉鎖状態で貯留している遊技球を、前枠扉が開放されることによって、余裕を持って保持することができることとなる。すなわち、球送出口よりも上流側まで遊技球が溜まっている時に、前枠扉を開放したとしても球導出受部の貯留領域いっぱいに溜まった遊技球を、拡張した貯留領域により余裕をもって貯留できるため、該遊技球が開放による振動で零れ落ちることを防ぎ得る。そして、例え前枠扉を勢いよく開放したとしても、その振動によって遊技球が球導出受部から零れ落ちることを防止できる。したがって、本発明の構成は、上述した従来の、受け皿部材を備えた構成に比して、前枠扉の開放時に、遊技球を零れ落ちないようにする作用効果が高い。
【００１３】
ここで、上記した球導出受部としては、遊技球を貯留可能な貯留領域を有しており、該貯留領域が壁部および底部により規定されたものとしている。そして、球受基体が、この貯留領域を規定する壁部を少なくとも含み、かつ貯留領域変換部材が、該貯留領域を規定する底部を少なくとも含むものとしており、これら球受基体と貯留領域変換部材とが、協同して遊技球の貯留領域を定めている。そして、貯留領域変換部材を、球受け位置から、例えば上方または下方へ変位することにより、遊技球の貯留領域が拡張する構成が好適に用い得る。
【００１４】
また、本構成にあっては、貯留領域変換部材が、前枠扉の開閉に伴って、変換案内部と直接的又は間接的に連係作動することにより、球受け位置と拡張位置との間で変位する構成が好適に用い得る。
【００１５】
尚、本構成としては、上述したように、球送出口の直上流側に排出路を設けた構成や、球送出口に、球導出受部により開閉する開閉扉を設けた構成にも好適に用い得る。これらの構成は、上述したように、球送出口よりも上流側にまで遊技球が溜まっている場合に、前枠扉を開放した時、球送出口から遊技球が零れることを防止できる作用効果を有している。このため、遊技機として、上述した本発明の作用効果と共に、球送出口よりも上流側まで遊技球が溜まった状態で前枠扉を開放したとしても、該遊技球が前枠扉側および本体枠側から零れ落ちることを防ぐことができるのである。
【００１６】
上述した遊技機にあって、前記変換案内部を、前記球送出口の下縁から上方突成した案内突片により構成し、前記球受基体の底面に、前記前枠扉の閉鎖状態で、前記案内突片が臨む進入開口を形成し、前記貯留領域変換部材を、その前縁が前記球受基体の底面に上下方向へ回動可能に支持されて、前記貯留領域の底部を成す可動底板により構成し、前記前枠扉の開放状態で、略水平となる拡張位置に保持され、該前枠扉の閉鎖状態で、前記球受基体の進入開口から進入した前記案内突片と当接して上方変位した球受け位置に保持されるものとした構成が提案される。
【００１７】
かかる構成にあっては、球導出受部の有する貯留領域を規定する底部の一部又は全部を、可動底板（貯留領域変換部材）により構成し、該可動底板を、後方へ上方傾斜した球受け位置から、略水平とした拡張位置へ回動することにより、貯留領域を拡張するようにしたものである。ここで、可動底板は、球導出受部が球送出口に入出することにより、球送出口の下縁に設けた案内突片と当接し、上下方向に回動して、球受け位置と拡張位置とに安定して変位するようになっている。すなわち、前枠扉の閉鎖状態で可動底板が球受け位置にあり、前枠扉を開放することによって、可動底板が球受け位置から拡張位置へ下方傾動して、貯留領域を拡張する。これにより、球受け位置で貯留領域いっぱいに遊技球が溜まっている時に、前枠扉を開放したとしても、該遊技球を貯留領域が拡張することにより余裕を持って貯留でき、該開放によって遊技球が零れ落ちることを防ぎ得る。本構成は、上述した本発明の作用効果が適正かつ安定的に発揮できるものである。
【００１８】
ここで、可動底板は、球受基体の底面の少なくとも後側部分を覆うようにしたものが好適に用い得る。この場合には、前枠扉の閉鎖状態で、前方へ下方傾斜した（後方へ上方傾斜した）可動底板が、払出装置から払い出された遊技球を受けて、球貯留領域へ円滑に導出し易くなる。
【００１９】
ここで、可動底板は、球受基体に回動自在に支持されて、その自重又はその上に乗った遊技球の重量により、下方へ回動するように支持されている構成や、板バネやコイルバネ等の付勢手段により、下方へ付勢されている構成などとすることが好適である。これらいずれかの構成により、当該可動底板が一層安定的に拡張位置へ変位することとなり得る。
【００２０】
さらに、本構成は、前枠扉の開閉に伴って、可動底板が球受基体内で傾動するものであるから、球導出受部の外寸法が変化しないため、球送出口への入出を円滑かつ安定的に行い得るという優れた利点も有する。
【００２１】
尚、上記した進入開口は、例えば、その左右方向幅を、案内突片を挿通可能とするように設定した長孔状としても良いし、球受基体の底面をほぼ全体的に開口するものとしても良い。
【００２２】
上述した遊技機にあって、前記変換案内部を、前記球送出口の下縁から前方突成した案内突片により構成し、前記貯留領域変換部材を、その後縁が前記球受基体の底面に上下方向へ回動可能に支持されて、前記貯留領域の底部を成す可動底板により構成し、前記前枠扉の閉鎖状態で、前記案内突片と当接して所定の球受け位置に保持されるものとすると共に、前記可動底板の下方に設けられ、前記前枠扉の開放状態で、前記貯留領域変換部材を球受け位置から下方変位した拡張位置で保持する傾動制限手段を備えている構成が提案される。
【００２３】
かかる構成にあっては、球導出受部の有する貯留領域を規定する底部の一部又は全部を、可動底板（貯留領域変換部材）により構成し、該可動底板を、所定の球受け位置から、前方へ下方傾斜した拡張位置へ回動することにより、貯留領域を拡張するようにしたものである。この球受け位置としては、球受基体の底面に沿うように、略水平又は所定角度で傾斜した位置である。そして、この球受け位置から、可動底板が前方へ下方傾斜して傾動制限手段により保持される拡張位置へ変位することにより、該球受け位置と拡張位置との間に生ずる領域分だけ、貯留領域が拡張するのである。
【００２４】
ここで、本構成は、可動底板が球受基体の底面に上下方向へ回動可能に支持されているものであるから、拡張位置で、可動底板が球受基体の底面より下方へ傾斜することとなる。このため、可動底板は、前枠扉の閉鎖に伴って、球送出口の下縁から前方へ突成した案内突片と当接して、球受け位置へ変位するのである。このように、可動底板は、前枠扉の開閉に伴って安定して変位するようになっている。この可動底板としては、
【００２５】
この構成により、球受け位置で貯留領域いっぱいに遊技球が溜まっている時に、前枠扉を開放したとしても、該遊技球を貯留領域が拡張することにより余裕を持って貯留でき、該開放によって遊技球が零れ落ちることを防ぎ得る。本構成は、上述した本発明の作用効果が適正かつ安定的に発揮できるものである。
【００２６】
また、本構成にあって、傾動制限手段としては、可動底板の下方に設けられて、下方傾斜した可動底板と当接する部位を設けた構成しても良いし、可動底板を所定長さの線条で球受基体に接続し、該線条の長さに従って下方傾斜する位置が定められるものとしても良い。前述の当接する部位を設けた構成としては、例えば、所定位置に突出した突出部としたり、可動底板の直下に形成した領域を構成する壁部とすることができる。また、後述の線条としては、紐状のものやコイルバネ等を用いたものとすることができる。
【００２７】
尚、可動底板は、球受基体に回動自在に支持されて、その自重又はその上に乗った遊技球の重量により、下方へ回動するように支持されている構成や、板バネやコイルバネ等の付勢手段により、下方へ付勢されている構成などとすることが好適である。このような構成とすることにより、一層安定的に可動底板を拡張位置へ変位させることができる。
【発明の効果】
【００２８】
本発明は、上述したように、前枠扉を貫通して後方へ突成した球導出受部を、遊技球の貯留領域を規定する壁部を少なくとも含む球受基体に、球受け位置と貯留領域を拡張する拡張位置とに変位可能とするように、該貯留領域を規定する底部を含む貯留領域変換部材を備えたものとし、前枠扉の開放に伴って、貯留領域変換部材が球送出口の口縁に形成された変換案内部により球受け位置から拡張位置へ変換するものとしたから、球導出受部の貯留領域に遊技球がいっぱい溜まっている場合に、前枠扉を開放しても、該貯留領域が拡張して、遊技球を余裕をもって留め得ることができる。このため、例え勢いよく前枠扉を開放しても、該開放時の振動によって遊技球が球導出受部から零れ落ちてしまうことを防ぎ得るという優れた作用効果を発揮する。
【００２９】
また、貯留領域変換部材を、その前縁が球受基体の底面に上下方向へ回動可能に支持されて、貯留領域を規定する底部を成す可動底板により構成し、前枠扉の開放状態で、可動底板を略水平となる拡張位置とし、前枠扉の閉鎖状態で、変換案内部を構成する案内突片と当接して上方変位した球受け位置とするようにしたから、可動底板が、前枠扉の開閉に伴って案内突片と当接して傾動することにより、球受け位置と拡張位置とに円滑に変位する。このため、上述した本発明の作用効果を適正かつ安定的に発揮し得る。
【００３０】
また、貯留領域変換部材を、その後縁が球受基体の底面に上下方向へ回動可能に支持されて、貯留領域を規定する底部を成す可動底板により構成し、前枠扉の閉鎖状態で、変換案内部を構成する案内突片と当接して球受け位置とし、前枠扉の開放状態で、球受け位置から前方へ下方変位して、可動底板の下方に設けた傾動制限突部と当接した拡張位置とするようにしたから、可動底板が、前枠扉の開閉に伴って案内突片と当接して傾動することにより、球受け位置と拡張位置とに円滑に変位する。このため、上述した本発明の作用効果を適正かつ安定的に発揮し得る。
【発明を実施するための最良の形態】
【００３１】
本発明の実施形態を、以下の実施例に従って説明する。
本実施例のパチンコ遊技機１は、図１，２に示すように、遊技島設備に固定される木製の外枠２と、該外枠２の開口部分に取り付けられた遊技機本体３とから構成されている。尚、このパチンコ遊技機１が、本発明にかかる遊技機である。
【００３２】
遊技機本体３は、板状の本体枠５を備え、この本体枠５が上記外枠２にヒンジ部材４を介して枢着されている。この本体枠５の前面側には前枠扉６が開閉可能に配設されており、本体枠５の背面側には裏機構板７が配設されている（図３参照）。
【００３３】
上記した本体枠５には、遊技盤９が配設されており、該遊技盤９の前面には、案内レール１３が湾曲状に設けられている。そして、この案内レール１３により区画された円形領域は、大入賞口や普通入賞口などを備えた各種入賞装置（図示省略）や遊技釘などが配設された遊技領域１２となっている。
【００３４】
また、本体枠５には、遊技盤９の直下に発射装置１５が配設されている。そして、発射装置１５の前側には、該発射装置１５の発射位置に遊技球を一個ずつ送り出す電動式の球送り機構を備えた整流器２０が配設されている。
【００３５】
また、本体枠５の前面下部には、図１，２のように、下部パネル２３が設けられており、この下部パネル２３の前面中央に余剰の遊技球を貯留する余剰球貯留皿１１が配設されている。この余剰球貯留皿１１内には球放出口２４が開口しており、該球放出口２４から余剰球貯留皿１１内に遊技球が放出される。また、余剰球貯留皿１１の底部には遊技球排出用の球抜孔２５が形成されており、余剰球貯留皿１１の底部に設けられた球抜スライダ２６を移動操作すると球抜孔２５が開放し、余剰球貯留皿１１の遊技球を下方へ排出可能となる。
【００３６】
余剰球貯留皿１１の右方には発射ハンドル２８が突設される。発射ハンドル２８の外周部には回動操作可能な発射レバー２９が設けられており、発射ハンドル２８の内部には、発射レバー２９の回動角度を検知する発射強度電子ボリューム（図示省略）が配設される。発射強度電子ボリュームは、上記した発射装置１５や整流器２０の作動を制御する発射制御基板（図示省略）に接続される。すなわち、発射レバー２９の操作に従って発射強度電子ボリュームから発射制御基板に信号が入力され、これに従って該発射制御基板は、整流器２０の球送り機構を作動すると共に、発射装置１５を駆動制御し、整流器２０から発射位置に送り出された遊技球が発射されるのである。
【００３７】
また、上記した裏機構板７は、図３のように、本体枠５の背面側に取り付けられている。この裏機構板７には、その上部に、図示しない遊技島設備から供給される遊技球を貯留する球タンク３０が設けられており、球タンク３０の直下に、該球タンク３０内の遊技球を流下させるタンクレール４５が設けられている。そして、このタンクレール４５の下端部と連通して遊技球を下方の払出装置３１に導く上下方向の球通路４６が設けられている。さらに、払出装置３１には、後述する球送出口３４に連通する球流通路３２と、上記した余剰球貯留皿１１の球放出口２４へ流下させるバイパス路３６とが分岐して接続されている。ここで、払出装置３１から払い出された遊技球は、通常球流通路３２へ流下するように、分岐形状が形成されている。そして、遊技球が球流通路３２に溜まってしまった場合や、比較的多量の遊技球が短時間で払い出された場合に、後から払い出された遊技球がバイパス路３６へ流下して余剰球貯留皿１１へ放出される。
【００３８】
この裏機構板７には、遊技盤９の裏面側に突出した状態で取り付けられる制御装置や該制御装置の保護カバー（いずれも図示省略）との干渉を避けるために、その略中央部に矩形状の開口部４７が形成されている。すなわち、この開口部４７内に、遊技全般を制御する主制御基板、払出装置３１を制御する払出制御基板、発射装置１５を制御する発射制御基板等の各種基板が夫々配設されることとなる（図示省略）。さらに裏機構板７の上部位置には、遊技状態等の所要情報信号を出力する情報端子基板４８が、球タンク３０の横に並べて配設されている。
【００３９】
一方、上記した前枠扉６は、その左側縁がヒンジ部材１７によって本体枠５に枢着されている。ここで、前枠扉６は、上記した下部パネル２３よりも上の領域をほぼ全体的に前面から覆うように設けられており、本体枠５に閉鎖された状態で、上記した遊技盤９、発射装置１５、整流器２０を前方から覆うこととなる。
【００４０】
この前枠扉６の中央には、透明板１８を保持する略円形の遊技領域開口部１９が形成されており、前枠扉６を閉鎖した状態で、該遊技領域開口部１９を介して、上記した遊技盤９の遊技領域１２を前方から視認可能となっている。
【００４１】
また、前枠扉６の下部前面には、発射球貯留皿１０が配設されている。この発射球貯留皿１０は、その右側内部に、遊技球を整列する整列部３８が形成されており、該整列部３８の右端に、遊技球を取り込む球取込口３９が形成されている（図２参照）。また、発射球貯留皿１０の内底面は、遊技球が整列部３８を流下して球取込口３９へ流入するように右方向へ下方傾斜している。そして、前枠扉６の閉鎖状態で、球取込口３９から流入した遊技球が整流器２０に流入する。すなわち、この発射球貯留皿１０は、発射装置１５へ送る遊技球を貯留するためのものである。尚、発射球貯留皿１０により、本発明にかかる球貯留皿が構成されている。
【００４２】
さらに、前枠扉６には、図２のように、発射球貯留皿１０の左側位置に開口した球払出口３３が設けられており、この球払出口３３が前枠扉６の厚み方向に貫通するように設けられている。そして、本体枠５には、前枠扉６の閉鎖状態で、球払出口３３と対向する位置に球送出口３４が設けられている。この球送出口３４は、上述した球流通路３２と連通しており、払出装置３１により払い出された遊技球を流出して球払出口３３を介して発射球貯留皿１０へ流出するためのものである（図３参照）。
【００４３】
上記した球流通路３２の、球送出口３４の直上流位置には、図３，４のように、下端を球放出口２４に連通する排出路３５が連通している。これにより、球流通路３２を流下した遊技球は、球送出口３４から流出せずに排出路３５へ流れた場合、球放出口２４を介して余剰球貯留皿１１へ放出される。尚、この排出路３５は、その下端が上記したバイパス路３６と合流して球放出口２４に連通している。
【００４４】
また、この球送出口３４の下縁内側には、図４のように、開閉扉４０が前後方向へ回動可能に軸支されている。この開閉扉４０は、起立位置で球送出口を後方から遮蔽し（図４（Ａ）参照）、後方へ回動することにより球送出口３４を開放する（図４（Ｃ）参照）。さらに、開閉扉４０は、常態で起立位置に保持されるように、図示しない付勢バネによって付勢されている。
【００４５】
次に、本発明の要部について、以下の各実施例に従って説明する。
【実施例１】
【００４６】
前枠扉６には、図２のように、球払出口３３から後方へ突出するように、その後部を上方開口した球導出受部５０が配設されている。この球導出受部５０は、図４（Ｃ）のように、前枠扉６が閉鎖された状態で、球送出口３４から嵌入して排出路３５の上端部を遮蔽する。この状態で、球流通路３２を流下した遊技球を受け止め、該遊技球を球送出口３４から流出して、球払出口３３へ案内する。これにより、上記した払出装置３１により払い出された遊技球が球払出口３３から発射球貯留皿１０へ流出することとなる。
【００４７】
前枠扉６が開放された状態では、図４（Ａ）のように、球送出口３４は開閉扉４０により閉鎖されている。そして、前枠扉６が閉鎖されることにより、図４（Ｂ）から（Ｃ）のように、球導出受部５０が開閉扉４０を後方へ押付けながら球送出口３４へ嵌入する。また、前枠扉６が開放されると、図４（Ｃ）から（Ｂ），（Ａ）の順で、球導出受部５０が球送出口３４から引き出されることにより、開閉扉４０が球送出口３４を閉鎖する。すなわち、前枠扉６が開放された状態では、球流通路３２を流下した遊技球が、球送出口３４から流出することなく、排出路３５へ流下して余剰球貯留皿１１へ排出される。
【００４８】
上記した球導出受部５０は、図５のように、球受基体５１と、球受基体５１内に支持された可動底板５２とにより構成されており、該球受基体５１と可動底板５２とにより規定された、遊技球を貯留可能な貯留領域５３を有している。
【００４９】
ここで、球受基体５１は、前枠扉６に嵌合されて球払出口３３を構成するトンネル状の環状基体部５５と、この環状基体部５５の後方へ突成した嵌入基体部５６とから構成されている。この嵌入基体部５６は、環状基体部５５の両側壁部５５ａ，５５ａの後端から後方へ突出した側壁部５６ａ，５６ａと、両側壁部５６ａ，５６ａの後端上部間を結ぶ後壁部５６ｂとから形成されている。これにより、球受基体５１に、嵌入基体部５６の下方を全体的に開口する進入開口５８が形成されている。すなわち、進入開口５８は、嵌入基体部５６の底面となる部分全体に形成されているものと言える。尚、この進入開口５８は、後壁部５６ｂの下端が両側壁部５６ａ，５６ａの下端より上方に位置していることから、該後壁部５６ｂの下側をも後方へ開口するように形成されている。さらに、この後壁部５６ｂの下縁には、前方に突出する保持凸部５６ｃが設けられている。
【００５０】
そして、この球受基体５１の環状基体部５５には、その底面直上部位で、可動底板５２の前縁が回動自在に軸支されており、該可動底板５２により進入開口５８全体を覆っている。ここで、可動底板５２は、球受基体５１の進入開口５８をほぼ覆う平板状の主板部５２ａと、該主板部５２ａの後端から上方へ湾曲した形状の案内曲部５２ｂと、該案内曲部５２ｂの後端から後方へ延成された被支持部５２ｃとから構成されている。この可動底板５２は、常態で、被支持部５２ｃが上記した球受基体５１の保持凸部５６ｃに乗載されることにより、図４（Ａ）のように、略水平方向に保持される。この保持された状態が、可動底板５２の拡張位置である。
【００５１】
尚ここで、本実施例の球導出受部５０にあっては、球受基体５１の嵌入基体部５６が、前枠扉６の閉鎖状態で、上記した球送出口３４に嵌入するのである。すなわち、本実施例にあって、球導出受部５０が球送出口３４に嵌入するとは、嵌入基体部５６が嵌入することを示している。
【００５２】
このような球受基体５１と可動底板５２とにより、上記した貯留領域５３を規定する壁部および底部が構成されている。すなわち、球受基体５１の、環状基体部５５の両側壁部５５ａ，５５ａと、嵌入基体部５６の両側壁部５６ａ，５６ａおよび後側壁部５６ｂとによって、本発明にかかる、貯留領域５３を規定する壁部が構成されている。そして、球受基体５１の環状基体部５５の底部５５ｂと可動底板５２とによって、本発明にかかる、貯留領域５３を規定する底部が構成されている。ここで、貯留領域５３は、前枠扉６の閉鎖状態で、上記した球送出口３４に嵌入する後部分を上方開口するように形成されている。尚、本実施例１にあっては、可動底板５２が、貯留領域５３を規定する底部の後部分を成しており、環状基体部５５の底部５５ｂが、貯留領域５３を規定する底部の前部分を成している。
【００５３】
一方、球導出受部５０（嵌入基体部５６）が嵌入する球送出口３４には、図２，４のように、その下縁から上方へ突出する案内突片５９が設けられている。この案内突片５９は、球送出口３４の下縁の幅方向中央部位に設けられている。そして、前枠扉６の開閉に伴って球導出受部５０が球送出口３４へ入出する時に、案内突片５９を、球受基体５１の進入開口５８に、その後部から進入または退出させるのである。ここで、球導出受部５０が球送出口３４に嵌入した状態（前枠扉６の閉鎖状態）では、図４（Ｃ）のように、案内突片５９が進入開口５８から臨み、上記した可動底板５２に当接して、該可動底板５２を上方へ傾斜させる。この傾斜した状態が、可動底板５２の球受け位置である。この球受け位置では、可動底板５２が傾斜していることから、上述した拡張位置に可動底板５２がある場合（図４（Ａ）参照）に比して、遊技球の貯留領域５３が縮小している。
【００５４】
尚、この球受け位置では、可動底板５２が前方へ下方傾斜した状態となっていることから、球導出受部５０の嵌入基体部５６が球送出口３４に嵌入した状態で、球流通路３２を流下した遊技球を受けて球払出口３３へ円滑に案内する作用を発揮している。
【００５５】
上述した球導出受部５０が、前枠扉６の開閉に伴って、貯留領域５３を増減する作動について改めて説明する。
図４（Ｃ）のように可動底板５２が球受け位置に保持された前枠扉６の閉鎖状態から、該前枠扉６を開放すると、図４（Ｂ）のように、球導出受部５０の嵌入基体部５６が球送出口３４から前方へ退出していくことにより、案内突片５９が相対的に球受基体５１の後方へ移動して、可動底板５２がその自重（および乗載している遊技球の重量）により徐々に下方へ傾動する。そして、図４（Ａ）のように、球導出受部５０が球送出口３４から完全に退出してしまうと、可動底板５２が拡張位置となる。このように、可動底板５２が球受け位置から拡張位置へ傾動することより、球導出受部５０内に遊技球を貯留できる貯留領域５３が拡張する。尚、この貯留領域５３の拡張は、可動底板５２の球受け位置と拡張位置との間の変位量によって定まっている。
【００５６】
また、前枠扉６を開放状態から閉鎖すると、図４（Ａ）から（Ｂ）のように、球導出受部５０の嵌入基体部５６が球送出口３４から嵌入していく。これに従って、球送出口３４の案内突片５９が、相対的に進入開口５８内へ進入していくことから、該案内突片５９が可動底板５２の下面と当接して、可動底板５２が上方へ傾動する。そして、図４（Ｃ）のように、前枠扉６が完全に閉鎖すると、可動底板５２は球受け位置となる。尚ここで、可動底板５２は、その後端部に案内曲部５２ｂを備えたものであるから、進入開口５８に進入した案内突片５９と比較的円滑に当接して上方へ傾斜するようになっている。
【００５７】
このように、球導出受部５０は、前枠扉６の閉鎖状態で可動底板５２を球受け位置とし、前枠扉６を開放して球送出口３４から排出した状態で可動底板５２を拡張位置とするようにしたものである。これにより、前枠扉６の閉鎖状態で球導出受部５０の貯留領域５３に比較的多数の遊技球が溜まっている時に、前枠扉６を開放したとしても、その開放に伴って貯留領域５３の容積が拡張することから、その遊技球を余裕を持って安定して保持することができる。そして、前枠扉６を勢いよく開放したとしても、その振動によって、遊技球が球導出受部５０から零れ落ちてしまうことを防ぎ得る。
【００５８】
また、上述したように、前枠扉６が開放されると、球送出口３４は開閉扉４０により遮蔽される。これにより、遊技球が球流通路３２内にまで溜まっていた場合に、前枠扉６を開放しても、該遊技球は球送出口３４から流出することなく、排出路３５へ流下して、余剰球貯留皿１１へ排出される。
【００５９】
すなわち、遊技球が球流通路３２内まで多量に溜まっている状態で、球詰まりなどの不具合が生じて前枠扉６を開放したとしても、これら遊技球のうち、球導出受部５０の貯留領域５３内に在るものは該貯留領域５３が拡張することにより安定的に保持され、球導出受部５０より上側に溜まっていたものは排出路３５を流下して余剰球貯留皿１１へ移動する。したがって、前枠扉６を開放した場合に、払出装置３１の作動により遊技者に払い出された遊技球が零れ落ちてしまい、遊技球を補填しなければならなくなったり、遊技者に不快感を生じさせたりすること等を、本実施例の構成は防止できる。
【００６０】
また、本実施例にあっては、前枠扉６の開閉に伴って、球導出受部５０が球送出口３４に出入りすることにより、該球送出口３４の下縁に設けた案内突片５９が可動底板５２に当接して球受け位置と拡張位置とに変換するようにしているから、この変換が安定的かつ円滑に行われるという利点も有している。
【実施例２】
【００６１】
実施例２にあっては、上述した実施例１と同様に、球払出口３３から後方へ突成されて、前枠扉６の閉鎖状態で、球送出口３４に嵌入する球導出受部６０を備えている（図６参照）。また、球送出口３４には、開閉扉４０が配設されている。
【００６２】
この球導出受部６０は、図６のように、球受基体６１と、該球受基体６１内に支持された可動底板６２とから構成されている。ここで、可動底板６２は、略平板状の主板部６２ａと、該主板部６２ａの後縁から下方へ突出する軸支部６２ｂと、該軸支部６２ｂから両外側へ突出する支軸６２ｃ，６２ｃと、主板部６２ａの前縁から下方へ突出する当接部６２ｄとから構成されている。
【００６３】
また、上記した球受基体６１は、前枠扉６に嵌合されて球払出口３３を構成する環状基体部６５と、該環状基体部６５から後方へ突成された嵌入基体部６６とから構成されている。この環状基体部６５は、下方を開放する断面コ字形状を成し、その両側壁部６５ａ，６５ａの下縁後端から下方へ突出した軸受け部６７，６７を備えている。この軸受け部６７，６７には、上記した可動底板６２の支軸６２ｃ，６２ｃが夫々支持されており、この可動底板６２が、前記した環状基体部６５の下方開放部を覆うようにして、上下方向へ回動自在に設けられている。
【００６４】
また、上記した嵌入基体部６６は、平板状の底部６６ｃと、該底部６６ｃの両側縁から起立した側壁部６６ａ，６６ａと、底部６６ｃの後縁から起立した後壁部６６ｂとから構成されている。そして、両側壁部６６ａ，６６ａの前端が、環状基体部６５の両側壁部６５ａ，６５ａの後端に連成されている。嵌入基体部６６の底部６６ｃと、上記した可動底板６２とが隣接している。
【００６５】
このような球導出受部６０は、遊技球を貯留可能な貯留領域６３を有しており、上記した球受基体６１と可動底板６２とにより、該貯留領域６３を規定する壁部および底部が構成されている。すなわち、球受基体６１の、環状基体部６５の両側壁部６５ａ，６５ａと、嵌入基体部６６の両側壁部６６ａ，６６ａおよび後側壁部６６ｂとによって、本発明にかかる、貯留領域６３を規定する壁部が構成されている。そして、球受基体６１の嵌入基体部６６の底部６６ｃと可動底板６２とによって、本発明にかかる、貯留領域６３を規定する底部が構成されている。ここで、貯留領域６３は、前枠扉６の閉鎖状態で、上記した球送出口３４に嵌入する後部分を上方開口するように形成されている。尚、本実施例２にあっては、可動底板６２が、貯留領域６を規定する底部の前部分を成しており、嵌入基体部６６の底部６６ｃが、貯留領域６３を規定する底部の前部分を成している。
【００６６】
一方、前枠扉６には、図７のように、上述した球導出受部６０の環状基体部６５を嵌合した直下部位に、変換空域６４が形成されており、その前後に案内孔７０，７０が形成されている。すなわち、案内孔７０，７０と変換空域６４とにより、前枠扉６を前後方向へ貫通している。また、この変換空域６４には、その空域を構成する左側部から内方（中心部へ向かう方向）へ突出する傾動制限突部７１が設けられている。この傾動制限突部７１は、上記した可動底板６２がその自重（及びその上に乗った遊技球の重量）により下方へ回動した時に、該可動底板６２の当接部６２ｄと当接して、該可動底板６２の下方回動を止めて保持する。このように、可動底板６２が傾動制限突部７１と当接して、前方へ下方傾斜した状態で保持された位置が、該可動底板６２の拡張位置である（図７（Ａ）参照）。ここで、傾動制限突部７１は、後述する案内突片６９が変換空域６４内へ進入した時に、該案内突片６９と接触しないように設けられている。尚、この傾動制限突部７１が、本発明にかかる傾動制限手段である。
【００６７】
ここで、可動底板６２が拡張位置となると、図７（Ａ）のように、該可動底板６２と球払出口３３の下縁との間に領域が形成され、この領域内に遊技球が入り込む。この可動底板６２と球払出口３３との間の距離が、遊技球の直径よりも小さくなるように、該可動底板６２を保持する傾動制限突部７１の配設位置が設定されている。これにより、可動底板６２を拡張位置に保持した場合に、該可動底板６２から遊技球が下方へ落下しないようにしている。尚、球払出口３３の下縁は、環状基体部６５を嵌合するために、前枠扉６に形成された球払出口３３用の貫通孔の下縁となる。
【００６８】
また、球送出口３４の下縁には、前方へ突出する案内突片６９が設けられている。この案内突片６９は、前枠扉６の閉鎖状態で、上記した案内孔７０，７０および変換空域６４に挿通する。すなわち、前枠扉６が開放状態から閉鎖されることにより、図７（Ｂ）のように、案内突片６９が後側の案内孔７０から変換空域６４に挿入して、拡張位置に保持されている可動底板６２の当接部６２ｄに当接する。さらに挿入していくに従って、可動底板６２を上方へ回動させる。そして、前枠扉６の閉鎖状態で、図７（Ｃ）のように、可動底板６２は、球受基体６１の底部６６ｃと滑らかに繋がるようにした球受け位置に、案内突片６９により保持される。
【００６９】
尚、本実施例にあって、この嵌入基体部６６の底部６６ｃは、前方へ緩やかに下方傾斜するように設けられている。このため、可動底板６２は、球受け位置で、嵌入基体部６６の底部６６ｃと同じく緩やかに下方傾斜している。
【００７０】
上述した球導出受部６０が、前枠扉６の開閉に伴って、貯留領域６３を増減する作動について改めて説明する。
上述したように可動底板６２が球受け位置に保持された前枠扉６の閉鎖状態（図７（Ｃ））から、該前枠扉６を開放すると、図７（Ｂ）のように、球導出受部６０の嵌入基体部６６が球送出口３４から前方へ退出していくことから、案内突片６９が球受基体５１に対して相対的に後方へ移動して、案内突片６９が、変換空域６４から徐々に退出していく。これに伴って、案内突片６９と当接している可動底板６２が、その自重（および乗載している遊技球の重量）により徐々に下方へ傾動する。さらに退出していくことにより、可動底板６２が、傾動制限突部７１と当接して、この当接した拡張位置で保持される。そして、前枠扉６の開放状態で、図７（Ａ）のように、可動底板６２を拡張位置で保持している。このように、可動底板６２が球受け位置から拡張位置へ傾動することより、この傾動で生成された領域分だけ、球導出受部５０が遊技球を貯留可能である貯留領域６３が拡張する。
【００７１】
また、前枠扉６を開放状態から閉鎖すると、図７（Ａ）から（Ｂ）のように、球導出受部６０の嵌入基体部６６が球送出口３４に嵌入していく。これに伴って、案内突片６９が、後側の案内孔７０を介して変換空域６４内へ進入し、該案内突片５９が可動底板６２の当接部６２ｄと当接して、該可動底板６２を上方へ傾動する。そして、図７（Ｃ）のように、前枠扉６が閉鎖した状態で、可動底板６２が球受け位置となる。
【００７２】
このように本実施例２は、払出装置３１から払い出された遊技球を貯留可能な貯留領域６３を、前枠扉６の開放に伴って拡張するようにしたものである。すなわち、上述した実施例１と同様に、例え、球流通路３２内にまで遊技球が溜まっている状態で、前枠扉６を開放したとしても、球導出受部６０の貯留領域６３内に、遊技球を余裕をもって保持できる。したがって、本実施例２は、上述した実施例１と同様の作用効果を発揮し得るものである。
【００７３】
上述した本実施例２にあって、上述した以外の構成要素は、実施例１と同じとし、同じ符号を用いて、その説明を省略した。
【００７４】
本発明は、上述した実施例１，２に限定されるものではなく、本発明の範囲内で適宜変更することは勿論可能である。例えば、実施例１，２にあって、各可動底板を、拡張位置へ付勢する付勢手段を設ける構成とすることもできる。また、実施例１にあっては、球受基体の嵌入基体部を、両側壁部と後壁部と底部（底面）とから構成し、該底部（底面）に、前枠扉６の閉鎖状態で案内突片５９が臨む、前後方向へ長孔状の進入開口を形成した構成としても良い。この構成では、可動底板５２が、嵌入基体部の底部（底面）を覆うようにして回動することとなる。また、実施例２にあっては、傾動制限部材により傾動制限手段を構成したものであるが、その他の構成として、変換空域を、その後壁が前方へ下方傾斜する形状として、この後壁に当接した可動底板が拡張位置となるようにし、該変換空域の形状によって傾動制限手段を構成することもできる。
【図面の簡単な説明】
【００７５】
【図１】前枠扉６を閉鎖した状態のパチンコ遊技機１の斜視図である。
【図２】前枠扉６を開放した状態のパチンコ遊技機１の斜視図である。
【図３】パチンコ遊技機１の裏機構板７の背面図である。
【図４】実施例１の球導出受部５０の、拡張位置と球受け位置とに変換される作動態様を説明する縦断面図である。
【図５】実施例１の球導出受部５０の、（Ａ）斜視図と、（Ｂ）分解斜視図である。
【図６】実施例２の球導出受部６０の、（Ａ）斜視図と、（Ｂ）分解斜視図である。
【図７】実施例２の球導出受部６０の、拡張位置と球受け位置とに変換される作動態様を説明する横断面図である。
【符号の説明】
【００７６】
１  パチンコ遊技機（遊技機）
５  本体枠
６  前枠扉
１０  発射球貯留皿（球貯留皿）
３１  払出装置
３４  球送出口
５０，６０  球導出受部
５１，６１  球受基体
５２，６２  可動底板（貯留領域変換部材）
５３，６３  貯留領域
５８  進入開口
５９，６９  案内突片
【図１】
2008000452.tif 000003
【図２】
2008000452.tif 000004
【図３】
2008000452.tif 000005
【図４】
2008000452.tif 000006
【図５】
2008000452.tif 000007
【図６】
2008000452.tif 000008
【図７】
2008000452.tif 000009